【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
芯材に演出用シート体がロール状に巻き取られた待機状態と、前記芯材から前記演出用シート体が繰り出されて広げられた演出状態とに変化する可動演出部材を備えた遊技機であって、
前記可動演出部材には、
前記演出用シート体の巻取方向における一端部を固定する固定ベースと、
前記演出用シート体の前記巻取方向における他端部から延設されて前記芯材に固定された樹脂シート部と、
前記待機状態では、前記芯材を前記固定ベースに近接配置し、前記待機状態から前記演出状態へ移行するときに前記芯材を巻き取り方向とは反対方向に回転させながら前記芯材を前記固定ベースから離間させる一方、前記演出状態から前記待機状態へ移行するときに前記芯材を巻き取り方向に回転させながら前記固定ベースに接近させる芯材駆動部と、が設けられ、
前記樹脂シート部は、前記演出用シート体の他端部を挟む１対の樹脂シートを縫い合わせて形成されたことを特徴とする遊技機。
【請求項２】
前記芯材は、円筒における周方向一部を切除してなる断面円弧状の殻部にて円形シャフトを外側から覆った構造をなし、
前記樹脂シート部は、前記円形シャフトと前記殻部との間に挟まれて固定されていることを特徴とする請求項１に記載の遊技機。
【請求項３】
前記芯材駆動部は、
前記芯材を回転可能に支持する芯材支持部材と、
前記芯材支持部材を前記固定ベースに対して接離させる駆動源と、
前記芯材支持部材に対して前記芯材を前記巻き取り方向に付勢する芯材回転付勢手段と、を備えたことを特徴とする請求項１又は２に記載の遊技機。
【請求項４】
前記演出用シート体が、網体であることを特徴とする請求項１乃至３のうち何れか１の請求項に記載の遊技機。
【請求項５】
前記網体には、前記芯材の軸方向で網地を形成する糸と糸の間の間隔が狭くなって網の目の面積が小さくなった小網目部が設けられ、
前記芯材のうち前記小網目部を巻き取る部分が、前記網体のうち前記小網目部以外の部分を巻き取る部分よりも大径になっていることを特徴とする請求項４に記載の遊技機。
【請求項６】
芯材に演出用シート体がロール状に巻き取られた待機状態と、前記芯材から前記演出用シート体が繰り出されて広げられた演出状態とに変化する可動演出部材を備えた遊技機であって、
前記可動演出部材には、
前記演出用シート体の巻取方向における一端部を固定する固定ベースと、
前記演出用シート体の前記巻取方向における他端部から延設されて前記芯材に固定された樹脂シート部と、
前記待機状態では、前記芯材を前記固定ベースに近接配置し、前記待機状態から前記演出状態へ移行するときに前記芯材を巻き取り方向とは反対方向に回転させながら前記芯材を前記固定ベースから離間させる一方、前記演出状態から前記待機状態へ移行するときに前記芯材を巻き取り方向に回転させながら前記固定ベースに接近させる芯材駆動部と、が設けられ、
前記芯材は、円筒における周方向一部を切除してなる断面円弧状の殻部にて円形シャフトを外側から覆った構造をなし、
前記樹脂シート部は、前記円形シャフトと前記殻部との間に挟まれて固定されていることを特徴とする遊技機。
【請求項７】
芯材に演出用シート体がロール状に巻き取られた待機状態と、前記芯材から前記演出用シート体が繰り出されて広げられた演出状態とに変化する可動演出部材を備えた遊技機であって、
前記可動演出部材には、
前記演出用シート体の巻取方向における一端部を固定する固定ベースと、
前記演出用シート体の前記巻取方向における他端部から延設されて前記芯材に固定された樹脂シート部と、
前記待機状態では、前記芯材を前記固定ベースに近接配置し、前記待機状態から前記演出状態へ移行するときに前記芯材を巻き取り方向とは反対方向に回転させながら前記芯材を前記固定ベースから離間させる一方、前記演出状態から前記待機状態へ移行するときに前記芯材を巻き取り方向に回転させながら前記固定ベースに接近させる芯材駆動部と、が設けられ、
前記演出用シート体が、網体であることを特徴とする遊技機。
【手続補正２】
【補正対象書類名】明細書
【補正対象項目名】００１２
【補正方法】変更
【補正の内容】
【００１２】
請求項５の発明は、前記網体には、前記芯材の軸方向で網地を形成する糸と糸の間の間隔が狭くなって網の目の面積が小さくなった小網目部が設けられ、前記芯材のうち前記小網目部を巻き取る部分が、前記網体のうち前記小網目部以外の部分を巻き取る部分よりも大径になっていることを特徴とする請求項４に記載の遊技機である。
請求項６の発明は、芯材に演出用シート体がロール状に巻き取られた待機状態と、前記芯材から前記演出用シート体が繰り出されて広げられた演出状態とに変化する可動演出部材を備えた遊技機であって、前記可動演出部材には、前記演出用シート体の巻取方向における一端部を固定する固定ベースと、前記演出用シート体の前記巻取方向における他端部から延設されて前記芯材に固定された樹脂シート部と、前記待機状態では、前記芯材を前記固定ベースに近接配置し、前記待機状態から前記演出状態へ移行するときに前記芯材を巻き取り方向とは反対方向に回転させながら前記芯材を前記固定ベースから離間させる一方、前記演出状態から前記待機状態へ移行するときに前記芯材を巻き取り方向に回転させながら前記固定ベースに接近させる芯材駆動部と、が設けられ、前記芯材は、円筒における周方向一部を切除してなる断面円弧状の殻部にて円形シャフトを外側から覆った構造をなし、前記樹脂シート部は、前記円形シャフトと前記殻部との間に挟まれて固定されていることを特徴とする遊技機である。
請求項７の発明は、芯材に演出用シート体がロール状に巻き取られた待機状態と、前記芯材から前記演出用シート体が繰り出されて広げられた演出状態とに変化する可動演出部材を備えた遊技機であって、前記可動演出部材には、前記演出用シート体の巻取方向における一端部を固定する固定ベースと、前記演出用シート体の前記巻取方向における他端部から延設されて前記芯材に固定された樹脂シート部と、前記待機状態では、前記芯材を前記固定ベースに近接配置し、前記待機状態から前記演出状態へ移行するときに前記芯材を巻き取り方向とは反対方向に回転させながら前記芯材を前記固定ベースから離間させる一方、前記演出状態から前記待機状態へ移行するときに前記芯材を巻き取り方向に回転させながら前記固定ベースに接近させる芯材駆動部と、が設けられ、前記演出用シート体が、網体であることを特徴とする遊技機である。
【手続補正３】
【補正対象書類名】明細書
【補正対象項目名】００１３
【補正方法】変更
【補正の内容】
【００１３】
［請求項１，６，７の発明］
本発明によれば、演出用シート体が樹脂シート部を介して芯材に固定されるので、演出用シート体を直に芯材に固定する場合と比較して、演出用シート体の芯材への固定強度を向上させることが可能となる。
【手続補正４】
【補正対象書類名】明細書
【補正対象項目名】００１６
【補正方法】変更
【補正の内容】
【００１６】
［請求項２，６の発明］
本発明では、樹脂シート部が円形シャフトと殻部の間に挟まれて芯材に固定されるので、樹脂シート部と芯材との間の固定の安定化が図られる。
【手続補正５】
【補正対象書類名】明細書
【補正対象項目名】００１８
【補正方法】変更
【補正の内容】
【００１８】
［請求項４，７の発明］
本発明によれば、遊技者に演出用シート体の向こう側を視認させることが可能となる。